(57)【要約】【課題】本発明の実施形態は、各階の乗場でアナウンス報知を行う報知装置の音量を自動調整するエレベータ報知音量制御装置を提供することを目的とする。【解決手段】本発明の実施形態に係るエレベータ報知音量制御装置は、各階床の乗場に設置された報知装置と、報知装置と無線通信を行う携帯端末装置と、携帯端末装置に備えられ、乗場の騒音を測定する集音部と、集音部で測定された騒音データを測定を行った階床と関連させて記憶する記憶部と、測定された騒音データの値に応じて前記報知装置からの出力音量を制御するための音量指令設定値を保有する音量指令設定テーブルと、記憶部に記憶されている階床と、現在の乗りかごのいる階床とを比較する位置データ比較部と、音量指令設定テーブルを参照して、報知装置に音量設定指令を行う制御部とを備える。【選択図】図１
2013216427.tif 000002
【特許請求の範囲】
【請求項１】
各階床の乗場に設置された報知装置と、
前記報知装置と無線通信を行う携帯端末装置と、
前記携帯端末装置に備えられ、前記乗場の騒音を測定する集音部と、
前記集音部で測定された騒音データを測定を行った階床と関連させて記憶する記憶部と、
前記測定された騒音データの値に応じて前記報知装置からの出力音量を制御するための音量指令設定値を保有する音量指令設定テーブルと、
前記記憶部に記憶されている階床と、現在の乗りかごのいる階床とを比較する位置データ比較部と、
前記音量指令設定テーブルを参照して、前記報知装置に音量設定指令を行う制御部と、
を備え、
前記制御部は、前記位置データ比較部によって、前記集音部によって騒音を測定した階床と現在の乗りかごのいる階床とを比較し、両階床が一致していると判断した場合に前記報知装置に音量設定指令を出力することを特徴とするエレベータ報知音量制御装置。
【請求項２】
エレベータの運行を制御するエレベータ制御装置は、前記集音部にて前記乗場の騒音を測定する第１の運転を行い、その後前記報知装置に対して前記音量設定指令を出力する第２の運転を行い、前記第２の運転の際に前記位置データ比較部によって前記両階床が一致している場合に、前記携帯端末装置は前記報知装置に音量出力設定指令を出力することを特徴とする請求項１に記載のエレベータ報知音量制御装置。
【請求項３】
前記報知装置の出力音量制御は、任意の階床にて行うことを特徴とする請求項１に記載のエレベータ報知音量制御装置。
【請求項４】
エレベータの運転モードを通常の運転制御を行う第１の運転モードと、前記報知装置の出力音量制御運転を行う第２の運転モードとを切り替える切替スイッチと、
前記運転モードが前記第２の運転モードに切り替わった後、所定時間内にかご呼び登録がなされた階床に対してのみ、前記報知装置の出力音量制御を行うことを特徴とする請求項３に記載のエレベータ報知音量制御装置。
【発明の詳細な説明】
【技術分野】
【０００１】
本発明の実施形態は、各階の乗場でアナウンス報知を行う報知装置の音量を自動調整するエレベータ報知音量制御装置に関する。
【背景技術】
【０００２】
一般にエレベータの各階の乗場ドア上部に設置されるヘッダーケース上には、乗場にいる利用者に対してチャイムや合成音声などによってエレベータが到着したことを報知するための報知装置が設置されている。
【０００３】
このような報知装置では、従来チャイム音や合成音声の出力音量は各階ごとに大小調整しており、その後は手作業によって出力音量の調整・変更を行わない限りは一旦設定した出力音量で報知を続けるものである。
【０００４】
また、エレベータの報知装置は昇降路内に設置されているため、報知装置の出力音量の調整作業は、保守員などが昇降路内部から行わなければならず、保守員はエレベータの乗りかご上に乗込み、報知装置を保守・点検しやすい位置まで乗りかごを移動させた後に、出力音量の調整作業を行っている。
【０００５】
さらに、保守員による報知装置の出力音声の調整作業の後、設定された出力音量が適切であるかどうか、乗場付近にて出力音量の確認作業をも行っている。
【先行技術文献】
【特許文献】
【０００６】
【特許文献１】特開平９−５８９４０号公報
【発明の概要】
【発明が解決しようとする課題】
【０００７】
しかしながら、高階床の建物に設置されるエレベータの場合は、上記の調整作業が長期化してしまう。調整作業を行っている間は、一般の利用者はエレベータを利用できないためサービスの低下につながってしまう。
【０００８】
そこで、本実施形態ではエレベータの報知装置の出力音量の調整作業において、エレベータの保守点検作業を行う保守員が携行している携帯端末を利用して各乗場の騒音量を測定・記憶し、携帯端末から報知装置に対して無線で音量出力設定を受け、自動で調整作業を行うエレベータ報知音量制御装置の提供を目的とする。
【課題を解決するための手段】
【０００９】
上記目的を達成するために、本発明の実施形態に係るエレベータ報知音量制御装置は、各階床の乗場に設置された報知装置と、前記報知装置と無線通信を行う携帯端末装置と、前記携帯端末装置に備えられ、前記乗場の騒音を測定する集音部と、前記集音部で測定された騒音データを測定を行った階床と関連させて記憶する記憶部と、前記測定された騒音データの値に応じて前記報知装置からの出力音量を制御するための音量指令設定値を保有する音量指令設定テーブルと、前記記憶部に記憶されている階床と、現在の乗りかごのいる階床とを比較する位置データ比較部と、前記音量指令設定テーブルを参照して、前記報知装置に音量設定指令を行う制御部と、を備え、前記制御部は、前記位置データ比較部によって両階床が一致していると判断した場合に前記報知装置に音量設定指令を出力することを特徴とする。
【図面の簡単な説明】
【００１０】
【図１】本発明の第１の実施形態に係るエレベータの概略を示す構成図である。
【図２】本発明の第１の実施形態に係る音量設定指令テーブルである。
【図３】本発明の第１の実施形態に係る携帯端末装置の構成を示すブロック図である。
【図４】本発明の第２の実施形態に係る出力音量設定制御の制御フローを示すフローチャートである。
【発明を実施するための形態】
【００１１】
以下、本発明の実施形態について図面を参照して説明する。
【００１２】
（第１の実施形態）
図１は、本実施形態に係るエレベータの構成の概略を構成図である。図２は、本発明の第１の実施形態に係る音量設定指令テーブルである。図３は、本発明の第１の実施形態に係る携帯端末装置の構成を示すブロック図である。
【００１３】
図１に示すように、昇降路１内を昇降する乗りかご２には図示しないかご内表示装置やかごドアなどが備えられている。
【００１４】
また、各階床の乗場４には乗場ドア５が取り付けられ、昇降路１内であって乗場ドア５の上部に設置されるヘッダーケース６には、その上部にエレベータ到着を報知するチャイム或いは音声合成装置によって構成される報知装置７が設置されている。報知装置７は乗場に設置されている乗場制御装置３を介して後述する携帯端末装置９によって制御される。
【００１５】
機械室ありのエレベータにおいては図示しないエレベータ機械室、機械室なしの場合においては、昇降路１内上部に設置されるエレベータ制御装置８が設置されている。
【００１６】
また、エレベータ報知装置７の出力音量調整作業を行う際に乗りかご２内には携帯端末装置９が配置される。携帯端末装置９は無線通信にて乗場制御装置３と通信を行い、乗場制御装置３を介して、乗場制御装置３と接続されているエレベータ制御装置８からエレベータの運行に関する情報を受信する。
【００１７】
図３に示すように携帯端末装置９には外部の騒音を収集する集音部１０と、集音部１０によって集音された外部騒音量やエレベータ制御装置８から得られる騒音測定を行った階床データと関連させて記憶する記憶部１４や、各階床に設置されるエレベータ報知装置７に最適な音量設定指令値を演算する制御部１６、報知装置７に対して演算された音量設定指令値の指令を行う指令部１７が備えられている。なお、記憶部１４には外部騒音量や階床データの他にも詳細を後述する音量指令設定テーブル１５やその他必要なデータやプログラム等も格納される。
【００１８】
さらに、各階床に設置されるエレベータ報知装置７のうち適切なエレベータ報知装置７に上記の音量設定指令を行うために、集音を行った階床と、音量設定指令を行う階床とを比較判定する位置データ比較部１８が備えられる。
【００１９】
また、本実施形態においては、各階床の乗場４の騒音量を測定するために、エレベータの運転モードを、かご呼びと乗場呼びとを共に禁止し、かつ各階停止運転するという騒音測定運転モードに切り替える運転切替スイッチ１９が乗場４に設置される。なお、この運転切替スイッチ１９は乗場に限らず、乗りかご２内に設置されるものとしてもよい。
【００２０】
以上のようにして、エレベータ報知音量制御装置が構成されている。
【００２１】
次に、本実施形態に係るエレベータ報知音量制御装置による各階床に設置されるエレベータ報知装置７の音量設定制御について説明する。本実施形態においては、音量設定制御の際には、まず騒音測定運転モードにて各階停止運転を行い、各階床の乗場での沿う音量を測定する。そして全階床の騒音測定後、乗りかごを折り返し運転させ、各階床の報知装置７の出力音量設定を行う。このとき、運転速度は通常の速度にて出力音量設定作業が行われる。以下、詳細に説明する。
【００２２】
通常運転時には、運転切替スイッチ１９はオフとなっておりエレベータは通常運転モードによって運行されている。
【００２３】
そして、報知装置７の出力音量調整作業を行う際には、乗りかご２内に携帯端末装置９を設置し、保守作業員は乗場にて運転切替スイッチ１９をオンする。エレベータ制御装置８は運転切替スイッチ１９がオンしたことを検出すると、エレベータの運転モードを騒音測定運転モードに切り替える。
【００２４】
運転モードが騒音測定運転モードに切り替わると、既述のように以降のかご呼びを一時的に禁止し、また乗場呼びも禁止にする。運転切替スイッチ１９がオンされるまでにすでに発生していた呼びに対しては、応答を完了させる。そして全ての応答が完了すると騒音測定運転モードとして各階停止運転制御に移行する。
【００２５】
そして乗りかご２が各階に停止するごとにかごドア及び乗場ドア５を開閉制御して、乗りかご２内に設置される携帯端末装置９の集音部１０により、停止階の騒音量を測定する。騒音量を測定した後、集音部１０にて測定された騒音量を記憶部１４に出力し、記憶部１４にて騒音量を記憶する。記憶部１４では、測定された騒音量とともに、エレベータ制御装置８からの運転情報によって得られる、測定を行った階床データとを関連づけて記憶する。
【００２６】
そして、エレベータが設置されている全階床について騒音量測定が完了すると、次にエレベータ制御装置８によって、各階床に設置される報知装置７の出力音量設定作業を行う。以下、具体的に説明する。
【００２７】
図２に示すように、携帯端末装置９の制御部１６は、記憶部１４に記憶されている各階床の騒音量の測定値を、音量指令設定テーブル１５を参照しながら、それぞれ騒音量レベルに振り分け、その騒音量レベルに応じた音量設定指令値を定める。例えば、本実施形態においては、各階床で測定された騒音測定値ごとに騒音量レベル１−５に振り分けられ、騒音量レベル１−５に対応して音量設定指令値１−５が定められる。
【００２８】
各階床の音量設定指令値が定められると、エレベータ制御装置８は通常の走行スピードで乗りかご２を運行させ、携帯端末装置９は各階床に設置されている報知装置７に最適な音量設定指令を出力する制御を以下のように行う。
【００２９】
まず、位置データ比較部１８は、記憶部１４に記憶されている当該調整対象となった階床の報知装置７の階床と現在の乗りかご２の位置とが一致するかどうか比較を行う。現在の乗りかご２の位置についても、エレベータ制御装置９からの情報によって把握する。比較の結果、両データが一致すると判断した場合、制御部１６は指令部１７を介して、当該報知装置７に対して測定された騒音量に応じた音量設定指令を出力する。
【００３０】
携帯端末装置９から音量設定指令を入力された報知装置７は当該音量設定指令に応じた音量出力制御を内部設定にて行う。この制御動作を各階床の報知装置７に対して行うことによって、各報知装置７の出力音量設定を自動調整することができることになる。
【００３１】
以上のように、本実施形態に係るエレベータ報知音量制御装置は各階床の騒音レベルに応じて自動的に報知装置７の出力音量設定を行うことができ、さらに、通常の運転速度にて出力音量設定動作を行うため、作業時間の短縮につながり、エレベータ利用者に対するサービス低下を防ぐことができる。
【００３２】
また、本実施形態においてはエレベータ制御装置８から乗場制御装置３を経由して特定の報知装置７に対し、音量出力設定許可信号を出力し、この音量出力設定許可信号を入力された報知装置７にのみ、携帯端末装置９による出力音量設定制御を行うことができるものとしてもよい。
【００３３】
これにより、出力音量設定調整を行いたい報知装置７に対してのみ、当該出力音量設定制御を行うことができるため、意図しない報知装置７に対して誤設定が発生することなく、かつ作業時間の短縮にもつながる。
【００３４】
（第２の実施形態）
次に第２の実施形態について説明する。図４は本発明の第２の実施形態に係る出力音量設定制御の動作フローを示すフローチャートである。以下、図４のフローチャートについて説明する。
【００３５】
まず、第１の実施形態と同様に、報知装置７の出力音量調整作業を行う際には、乗りかご２内に携帯端末装置９を設置し、保守作業員は乗場にて運転切替スイッチ１９をオンする。エレベータ制御装置８は運転切替スイッチ１９がオンしたことを検出すると、エレベータの運転モードを騒音測定運転モードに切り替える（Ｓ１）。
【００３６】
その後、所定時間内、例えば騒音測定運転モードに切り替えた後３０秒以内に、エレベータ制御装置８はかご呼び登録がされたか否かを判断する（Ｓ２）。かご呼び登録がされていないと判断した場合（Ｓ２のＮＯ）、エレベータ制御装置８は、通常通り騒音測定運転を行う（Ｓ３）。一方、かご呼び登録がされたと判断した場合（Ｓ２のＹＥＳ）、当該かご呼び登録が行われた階床に対してのみ、出力音量調整制御を行う（Ｓ４）。出力音量調整制御については、第１の実施形態にて説明した制御と同様であるため説明を省略する。
【００３７】
そして、特定階のみ出力音量調整制御を行った後、エレベータ制御装置８によってエレベータの運転制御を通常運転制御に切り替えられる（Ｓ５）。
【００３８】
以上のように、本実施形態によれば、出力音量調整作業を行いたい報知装置７に対してのみ当該調整作業を行うことができるため、作業時間の短縮化が可能となる。
【符号の説明】
【００３９】
１…昇降路
２…乗りかご
３…乗場制御装置
４…乗場
５…乗場ドア
６…ヘッダーケース
７…報知装置
８…エレベータ制御装置
９…携帯端末装置
１０…集音部
１４…記憶部
１５…音量指令設定テーブル
１６…制御部
１７…指令部
１８…位置データ比較部
１９…運転切替スイッチ
【図１】
2013216427.tif 000003
【図２】
2013216427.tif 000004
【図３】
2013216427.tif 000005
【図４】
2013216427.tif 000006